【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
ドア、窓又はファサード要素のための複合プロファイル材（１）であって、
複数のプロファイル材（２、２）と、
少なくとも１つの断熱ストリップ（３）と、を備え、
前記複数のプロファイル材（２、２）のうちの少なくとも１つの前記プロファイル材は、第１の引張強度を有する金属材料からなり、前記少なくとも１つの断熱ストリップ（３）とロールイン接続するための少なくとも１つのロールイン溝（６）を有しており、
前記断熱ストリップ（３）は、
断熱材料からなり、長手方向（ｚ）に延びているストリップ本体（４）と、
前記ストリップ本体（４）の長手方向縁部にあるロールインヘッド（５）であって、
前記長手方向（ｚ）に垂直な平面（ｘ−ｙ）において、前記少なくとも１つのロールイン溝（６）に挿入されるように適合された断面形状を有し、
前記ロールインヘッド（５）から前記ストリップ本体（４）への移行部における前記ロールインヘッド（５）の前記断面形状の第２の厚さ（ａ１）よりも大きい、前記少なくとも１つのロールイン溝（６）に面する前記ロールインヘッド（５）の遠位外縁部に対向する前記ロールインヘッド（５）の前記断面形状の第１の厚さ（ａ２）を有する、
前記ロールインヘッドと、
前記ロールインヘッド（５）の表面（１０、１１、１２）の少なくとも一部を覆い、表面変化部（１６、１７、１８）を有するシート（１３）と、
を備え、
前記断熱ストリップ（３）の前記ロールインヘッド（５）は、ロールインによって、前記プロファイル材（２）に接続しており、
前記シート（１３）は、３００Ｎ／ｍｍ２以上の第２の引張強度を有する金属材料からなるか、又は、前記第２の引張強度を有する前記金属材料からなる部分を備え、
前記第２の引張強度は前記第１の引張強度よりも高い、
複合プロファイル材（１）。
【請求項２】
前記シート（１３）の前記第２の引張強度を有する前記金属材料の融解温度は、前記ストリップ本体（４）の前記断熱材料の融解温度よりも少なくとも５０Ｋ高い、請求項１に記載の複合プロファイル材（１）。
【請求項３】
前記シート（１３）は、鋼からなるか、又は、鋼からなる部分を備える、請求項１又は２に記載の複合プロファイル材（１）。
【請求項４】
前記表面変化部（１６、１７、１８）は、穿孔（１７）、フラップ（１８）、突起、ローレット（１６）、及び、やすり状表面を含む表面変化の群から選択される１又は複数の変化部である、請求項１〜３のいずれか一項に記載の複合プロファイル材（１）。
【請求項５】
前記ロールインヘッド（５）の前記長手方向（ｚ）に垂直な前記断面形状は、前記ロールインヘッド（５）の前記遠位外縁部側に第１の表面（１１）を有し、
前記シート（１３）は、前記第１の表面（１１）の少なくとも一部を覆う、請求項１〜４のいずれか一項に記載の複合プロファイル材（１）。
【請求項６】
前記ロールインヘッド（５）の前記長手方向（ｚ）に垂直な前記断面形状は、前記ロールインヘッド（５）の前記遠位外縁部の側方に複数の第２の表面（１０、１２）を有し、
前記シート（１３）は、前記複数の第２の表面（１０、１２）のうちの１つの前記第２の表面（１０、１２）の少なくとも一部を覆う、請求項１〜５のいずれか一項に記載の複合プロファイル材（１）。
【請求項７】
前記シート（１３）は、前記第１の表面（１１）と前記複数の第２の表面（１０、１２）のうちの１つの前記第２の表面（１０、１２）との間における前記ロールインヘッド（５）の第１の移行縁部（１４）、及び／又は、前記第１の表面（１１）と前記複数の第２の表面（１０、１２）のうちの他方の前記第２の表面（１０、１２）との間における前記ロールインヘッド（５）の第２の移行縁部（１５）を覆う、請求項５に従属する請求項６に記載の複合プロファイル材（１）。
【請求項８】
前記シート（１３）は、前記第１の移行縁部（１４）を覆う領域、及び／又は、前記第２の移行縁部（１５）を覆う領域に、複数のフラップ（１８）を備える、請求項７に記載の複合プロファイル材（１）。
【請求項９】
前記第１の移行縁部（１４）を覆う前記領域、及び／又は、前記第２の移行縁部（１５）を覆う前記領域における前記複数のフラップ（１８）は、それぞれ、前記長手方向（ｚ）に延びる２つの平行な長手方向切断縁部（１９）と、前記長手方向切断縁部（１９）に垂直に延びる横方向切断縁部（２０）によって形成され、
前記横方向切断縁部（２０）は、前記フラップ（１８）を形成するために、前記長手方向（ｚ）における前記長手方向切断縁部（１９）の２つの側部のうちの一方の側部で前記２つの縦方向切断縁部（１９）に接続され、
前記横方向切断縁部（２０）が前記２つの縦方向切断縁部（１９）に接続されている前記長手方向（ｚ）における前記２つの側部のうちの前記一方の側部は、前記長手方向（ｚ）において隣接する２つのフラップでは交互である、請求項８に記載の複合プロファイル材（１）。
【請求項１０】
前記表面変化部（１７、１８）は、穿孔（１７）及び／又はフラップ（１８）を備え、
前記ロールインヘッド（５）の前記表面（１０、１１、１２）内への前記穿孔（１７）及び／又は前記フラップ（１８）の縁部（２１）の突出深さ（ｐ）は、０．２ｍｍ〜２ｍｍの範囲内である、請求項１〜９のいずれか一項に記載の複合プロファイル材（１）。
【請求項１１】
前記ロールインヘッド（５）の前記断面形状の前記第１の厚さ（ａ２）は、前記少なくとも１つのロールイン溝（６）に面する前記ロールインヘッド（５）の前記遠位外縁部に位置する、請求項１〜１０のいずれか一項に記載の複合プロファイル材（１）。
【請求項１２】
前記ストリップ本体（４）は、熱可塑性断熱材料からなる、請求項１〜１１のいずれか一項に記載の複合プロファイル材（１）。
【請求項１３】
ドア、窓又はファサード要素のための複合プロファイル材（１）の複数のプロファイル材（２、２）を接続するための断熱ストリップ（３）のロールインヘッド（５）の製造を仕上げる方法であって、
前記複数のプロファイル材（２、２）のうちの少なくとも１つの前記プロファイル材（２）は、金属材料からなり、前記断熱ストリップ（３）とロールイン接続するための少なくとも１つのロールイン溝（６）を有し、
前記断熱ストリップ（３）は、
断熱材料からなり、長手方向（ｚ）に延びているストリップ本体（４）と、
前記ストリップ本体（４）の長手方向縁部にあるロールインヘッド（５）であって、
前記長手方向（ｚ）に垂直な平面（ｘ−ｙ）において、前記少なくとも１つのロールイン溝（６）に挿入されるように適合された断面形状を有し、
前記ロールインヘッド（５）から前記ストリップ本体（４）への移行部における前記ロールインヘッド（５）の前記断面形状の第２の厚さ（ａ１）よりも大きい、前記少なくとも１つのロールイン溝（６）に面する前記ロールインヘッド（５）の遠位外縁部に対向する前記ロールインヘッド（５）の前記断面形状の第１の厚さ（ａ２）を有する、
ロールインヘッド（５）と、
を備え、
前記方法は、
前記ロールインヘッド（５）を有する前記断熱ストリップ（４）を提供するステップと、
３００Ｎ／ｍｍ２以上の第２の引張強度を有する金属材料からなるか、又は、前記第２の引張強度を有する前記金属材料を少なくとも備えるシート（１３）を提供するステップと、
前記シート（１３）の側部の少なくとも一方の側部において、前記シート（１３）の表面をローレット加工するステップと、
前記シート（１３）のローレット表面が前記ロールインヘッド（５）から離れるように、前記ロールインヘッド（５）の表面（１０、１１、１２）に、前記シート（１３）を配置するステップと、
前記ロールインヘッド（５）の移行縁部（１４、１５）周辺で前記シート（１３）を曲げるステップと、
前記シート（１３）を前記ロールインヘッド（５）に押しつけるステップと
を備え、
フラップ（１８）は、前記配置するステップの前又は後において、前記シート（１３）に任意で切り込まれ、前記任意のフラップ（１８）は、前記曲げるステップの後に前記ロールインヘッド（５）内に押しつけられ、及び／又は、前記シート（１３）には、前記配置するステップの後に前記穴（１７）が任意で穿孔される、
方法。